(57)【要約】【課題】貯留可能な遊技球の量を減少させることなく、確実に球詰まりを防止する。【解決手段】パチンコ店に設けられている供給装置から球貯留タンク６にパチンコ球１１が供給されると、供給されたパチンコ球が底板２０の傾斜に沿って排出口２３に向けて流下する。供給されたパチンコ球が排出口２３から一度に排出されずに底板２０の上面でパチンコ球が積み重なった状態となり、その高さが仕切り壁２２の高さを超えると、このパチンコ球は仕切り壁２２を乗り越えて補助排出口２４，２５から排出される。排出口２３〜２５から排出されたパチンコ球は流下樋１４内に落下し、球通路２７〜２９を流下する。そして、球通路２７，２９のパチンコ球は本流球通路２８ａに流下し、本流球通路２８ａを流下するパチンコ球は流下樋１４から排出された後に球払い出し装置に供給される。【選択図】        図３
2007044062.tif 000002
【特許請求の範囲】
【請求項１】
遊技球の排出口が形成された底板と前記底板の周囲を取り囲む側板とを有する球貯留タンクを備え、外部から前記球貯留タンクに供給された遊技球が前記底板の傾斜に沿って排出口に流下し、前記排出口から外部に排出される遊技機において、
前記底板に前記排出口とは別個の補助排出口を形成し、
前記補助排出口の周囲に配置された仕切り壁を前記底板に立設して、
前記仕切り壁の高さ寸法は、前記側板の高さ寸法よりも小さく、かつ前記遊技球の半径よりも大きいことを特徴とする遊技機。
【請求項２】
前記補助排出口を複数形成し、
前記底板の端部で、かつ前記傾斜の下流側に、前記排出口が前記補助排出口で挟まれるように各々を配列したことを特徴とする請求項１記載の遊技機。
【発明の詳細な説明】
【技術分野】
【０００１】
本発明は、遊技球を貯留する球貯留タンクを備えた遊技機に関する。
【背景技術】
【０００２】
外部から供給された遊技球を貯留する球貯留タンクを備えた遊技機としてパチンコ機が知られている。パチンコ機では、遊技を行って入賞が発生した場合やパチンコ球の貸与を受ける場合に遊技機前面に設けられた受け皿にパチンコ球が払い出される。受け皿に払い出されるパチンコ球は遊技機の背面に設けられた球貯留タンクに貯留されている。球貯留タンクには排出口が形成されており、排出口から排出されたパチンコ球はその下方に配置された流下樋に流下する。流下樋を流下するパチンコ球は払い出し装置に供給される。そして、払い出し装置が駆動されると受け皿にパチンコ球が払い出される。
【０００３】
ところで、従来のパチンコ機では、球貯留タンクに貯留されているパチンコ球が互いの圧力によってその流れが滞留し、球貯留タンク内で球詰まりが発生して排出口から排出されなくなることがあった。このため、特許文献１では、断面が凸状のシールからなる整流部材を球貯留タンクの底板に貼着して、球貯留タンク内のパチンコ球の動きに変化を付け、球詰まりの発生を防止している。
【特許文献１】特開２００３−３２０１５１号公報
【発明の開示】
【発明が解決しようとする課題】
【０００４】
しかし、球貯留タンク内には各々が積み重なった状態でパチンコ球が貯留されるため、特許文献１の方法のように球貯留タンクの底板に整流部材を設けても、積み重なったパチンコ球の重量を考慮するとパチンコ球の動きに変化を付ける、すなわち、パチンコ球同士の圧量を分散させることが困難になる。このため整流部材を大型化することが考えられるが、整流部材を大型化すると球貯留タンクで貯留可能なパチンコ球の量が減少し、利便性に欠けるという欠点がある。
【０００５】
本発明は、上記問題点を解決するためになされたものであり、貯留可能な遊技球の量を減少させることなく、確実に球詰まりを防止できるようにした遊技機を提供することを目的とする。
【課題を解決するための手段】
【０００６】
上記問題点を解決するにあたり、本発明の遊技機は、遊技球の排出口が形成された底板と前記底板の周囲を取り囲む側板とを有する球貯留タンクを備え、外部から前記球貯留タンクに供給された遊技球が前記底板の傾斜に沿って排出口に流下し、前記排出口から外部に排出される遊技機において、前記底板に前記排出口とは別個の補助排出口を形成し、前記補助排出口の周囲に配置された仕切り壁を前記底板に立設して、前記仕切り壁の高さ寸法は、前記側板の高さ寸法よりも小さく、かつ前記遊技球の半径よりも大きいことを特徴とする。
【０００７】
なお、前記補助排出口を複数形成し、前記底板の端部で、かつ前記傾斜の下流側に、前記排出口が前記補助排出口で挟まれるように各々を配列することが好ましい。
【０００８】
（請求項の語句の説明）
「補助排出口の周囲に配置された仕切り壁」とは、補助排出口の周囲の一部に仕切り壁が立設されていればよいことを示し、仕切り壁で補助排出口の全周を囲む場合は、例えば補助排出口の周囲を囲むように仕切り壁を配置してもよいし、あるいは、仕切り壁と側板とで補助排出口の全周を囲んでもよい。
【発明の効果】
【０００９】
本発明の遊技機は、遊技球の排出口とこの排出口と別個の補助排出口を球貯留タンクの底板に形成し、補助排出口の周囲に配置された仕切り壁を底板に立設して、仕切り壁の高さ寸法は、球貯留タンクの側板の高さ寸法よりも小さく、かつ遊技球の半径よりも大きいので、仕切り壁を乗り越えた遊技球を補助排出口から排出させて排出口からの遊技球の流れに変化をつけることが可能になり、球貯留タンク内の遊技球が排出口に集中することを防止できる。これにより、遊技球同士の圧力を分散させることが可能になり、確実に球詰まりを防止できる。
【００１０】
また、前記補助排出口を複数形成し、前記底板の端部で、かつ前記傾斜の下流側に、前記排出口が前記補助排出口で挟まれるように各々を配列したので、排出口から排出しきれなくなった遊技球を隣接した両側方の補助排出口から排出させ、遊技球による両側方からの圧力の変化によって遊技球を分散させることが可能になり、より確実に球詰まりを防止できる。また、貯留タンク内に効率良く遊技球を貯留させることが可能になり、貯留可能な遊技球の量を減少させることなく、確実に球詰まりを防止できる。
【発明を実施するための最良の形態】
【００１１】
図１に示すように、パチンコ機（遊技機）１は本体基部２を備えており、本体基部２の前面に上扉３と下扉４とからなる前面扉５が開閉自在に取り付けられている。また、本体基部２の裏面側には、球貯留タンク６が設けられている。上扉３には、中央に開口７が設けられており、上扉３の裏面には、開口７を覆うガラス扉９が上扉３に対して開閉自在に取り付けられている。上扉３の奥側には遊技盤８が設けられており、遊技盤８はガラス扉９を介して視認可能となっている。下扉４は、払い出し口１０から払い出されたパチンコ球（遊技球）１１を貯留する受け皿１２、及び図示しない発射装置の打ち出し強さを調節する操作ハンドル１３を備えている。
【００１２】
図２に示すように、球貯留タンク６は、本体基部２の上部に設けられている。球貯留タンク６の下方には、球貯留タンク６から排出されたパチンコ球１１が流下する流下樋１４が設けられている。
【００１３】
球貯留タンク６は、上面が開口したＴ字形の箱形状をしている。球貯留タンク６は、横置きとなるように取り付けられている。球貯留タンク６は、底板２０と、底板２０を取り囲む側板２１とから構成されている。また、球貯留タンク６内には、高さ寸法Ｌ１がパチンコ球１１の半径Ｄよりも大きく、かつ側板２１の高さ寸法Ｌ２よりも小さい一対の仕切り壁２２が形成されている。球貯留タンク６内は仕切り壁２２によって３つの領域に仕切られている。
【００１４】
図３に示すように、底板２０には排出口２３が形成され、さらに仕切り壁２２と側壁２１とによって囲まれた補助排出口２４，２５が形成されている。排出口２３は矩形状に形成されており、補助排出口２４，２５は略矩形状に形成されている。排出口２３〜２５は複数のパチンコ球１１を一度に排出可能な大きさになっている。底板２０の上面は、排出口２３に向けて下り傾斜となっている。排出口２３〜２５は、底板２０の傾斜の下流側で、かつ底板２０の端部に形成されており、排出口２３が補助排出口２４，２５で挟まれるように配列されている。球貯留タンク６内には、底板２０の傾斜の上流部分にパチンコ球１１が落下するようにパチンコ球が供給される。このため、底板２０に落下したパチンコ球１１は排出口２３に向かって流下する。なお、底板２０の傾斜の上流部分には、貯留されたパチンコ球によってオン／オフされる球検出スイッチ２６が取り付けられており、貯留されたパチンコ球が減少して球検出スイッチ２６がオフになると球貯留タンク６内へのパチンコ球１１が供給され、貯留されたパチンコ球が増加して球検出スイッチ２６がオンになると供給が中止される。また、側板２１の高さ寸法Ｌ２は球貯留タンク６でのパチンコ球１１の貯留量に応じて適宜に設定してよく、仕切り板２２の高さ寸法Ｌ１の高さはパチンコ球の半径Ｄ（少なくとも底板２０上の１つのパチンコ球を補助排出口２３から排出させないで塞ぎ止める寸法）よりも大きく、貯留されたパチンコ球を溢れさせない側板２１の高さ寸法Ｌ２よりも小さければ適宜に設定してよい。
【００１５】
流下樋１４は、その端部が排出口２３〜２５の下方に位置するように本体基部２に取り付けられている。排出口２３〜２５から下方に落下するように排出されたパチンコ球１１は流下樋１４に案内されて流下樋１４を流下する。流下樋１４には球通路２７〜２８からなる３条の案内通路が形成されている。補助排出口２４から排出されたパチンコ球は球通路２７、排出口２３から排出されたパチンコ球は球通路２８、補助排出口２５から排出されたパチンコ球１１は球通路２９に流下する。球通路２７，２９は、その途中で球通路２８の下流側における本流球通路２８ａに合流している。このため、補助排出口２４，２５から排出されたパチンコ球も最終的に本流球通路２８ａに流下する。
【００１６】
図４に示すように、流下樋１４は、底板２０の傾斜方向Ａとは略反対方向Ｂに向かって下るように本体基部２に取り付けられている。これに併せて球通路２７〜２９も方向Ｂに向かって下り傾斜しており、球通路２７〜２９のパチンコ球１１は方向Ｂに向かって流下する。球通路２７〜２９ではパチンコ球１１が整列されながら下流側に流下する。また、本流球通路２８ａに合流したパチンコ球１１は、本体基部２の裏面に取り付けられた球ならし部材３０によって積み重なったまま流下することが防止される。流下樋１４の最下流部はその先端が下方に向けて屈曲している。そして、流下樋１４の上流側から排出されたパチンコ球１１は本体基部２の裏面に配置された球通路３１を略垂直方向に落下して球払い出し装置に供給される。
【００１７】
次に上記構成による作用について説明する。パチンコ店に設けられている供給装置から球貯留タンク６にパチンコ球１１が供給されると、供給されたパチンコ球が底板２０の傾斜に沿って排出口２３に向けて流下する。供給されたパチンコ球が排出口２３から一度に排出されずに底板２０の上面でパチンコ球が積み重なった状態となり、その高さが仕切り壁２２の高さ寸法Ｌ２を超えると、このパチンコ球は仕切り壁２２を乗り越えて補助排出口２４，２５から排出される。排出口２３〜２５から排出されたパチンコ球は流下樋１４内に落下し、球通路２７〜２９を流下する。そして、球通路２７，２９のパチンコ球は本流球通路２８ａに流下し、本流球通路２８ａを流下するパチンコ球は流下樋１４から排出された後に球払い出し装置に供給される。
【００１８】
このように、球貯留タンク６内でのパチンコ球１１の流下方向と流下樋１４でのパチンコ球１１の流下方向が反対であると、例えば球貯留タンク６内に排出口２３のみを形成した場合には、貯留タンク６にパチンコ球が外部（パチンコ店の島設備）から供給されたときや貯留タンク６から払い出し装置にパチンコ球が供給されるときに、球貯留タンク６内を流下するパチンコ球１１と流下樋１４を流下するパチンコ球１１の互いの反力によってパチンコ球がブリッジ状態となり球排出口２３でパチンコ球１１が詰まるおそれがあるが、本発明のように、複数の排出口２３〜２５を形成して仕切り壁２２を設ければ、排出されるパチンコ球１１における互いの圧力のかかり具合を分散でき、排出口２３又は補助排出口２４，２５のいずれかでパチンコ球がブリッジ状態となって球詰まりが発生してもいずれか一方でのパチンコ球の流通により貯留されたパチンコ球の圧力に変化が生じてブリッジ状態を解消できるから貯留タンク６での球詰まりを効果的に防止できる。
【００１９】
上記実施形態では、排出口を１つ、補助排出口を２つ形成したが、排出口及び補助排出口の個数は適宜数形成してよい。また、仕切り壁の形状及びその数も適宜に設定してよく、例えば、複数の仕切り壁の高さを互いに異ならせてもよい。これにより、パチンコ球が補助排出口から排出されるタイミングが異なるため、パチンコ球の圧力をより確実に分散できる。
【図面の簡単な説明】
【００２０】
【図１】本形態の一形態であるパチンコ機を表した外観斜視図である。
【図２】パチンコ機の背面側に配設された貯留タンク周りの構成を表した斜視図である。
【図３】貯留タンクの上面図である。
【図４】貯留タンクと流下樋との位置関係を示した説明図である。
【符号の説明】
【００２１】
１  パチンコ機（遊技機）
６  球貯留タンク
１１  パチンコ球（遊技球）
１４  流下樋
２０  底板
２１  側板
２２  仕切り壁
２３  排出口
２４，２５  補助排出口
２７，２８，２９  球通路
【図１】
2007044062.tif 000003
【図２】
2007044062.tif 000004
【図３】
2007044062.tif 000005
【図４】
2007044062.tif 000006